(57)【要約】【課題】印刷物に使用される特色インキの混合調肉における各色配合比率の正確性と安定性を確保するとともに、その特色インキに使用する各色インキの在庫量を正確に把握して遅滞のない適正なインキ発注を行うことができるようにする。【解決手段】印刷スケジュール管理手段１と、該管理手段１にデータを入力するデータ入力手段２と、印刷物Ｐの印刷色を測定する測定手段４と、該測定手段４にて測定された測定データに基づいて印刷インキ配合比率を算出するインキ配合比率算出手段６と、前記管理手段１に基づいて動作し、且つ印刷仕様、印刷スケジュール、印刷インキ在庫状況等の印刷スケジュール及びインキ在庫状況を管理するための管理データ、並びに算出された前記印刷インキ配合比率を記録、登録するインキ在庫・発注管理データベース３と、インキ使用量算出手段７と、発注指示出力手段８を備える。【選択図】図１
2004066454.tif 000002
【特許請求の範囲】
【請求項１】
インキ在庫・発注管理手段と、該管理手段にデータを入力するデータ入力手段と、前記管理手段に基づいて動作し、且つ各種調肉インキの顔料比率に相当する基本顔料インキ配合比率情報と、印刷仕様、印刷スケジュール等の印刷仕様情報と、印刷仕様毎の調肉インキ色の識別名とその調肉インキの顔料比率に相当する基本顔料インキ配合比率等の印刷仕様別調肉インキ情報と、印刷機種、循環インキアイドリング量、版面インキ付け量等の印刷機情報と、調肉インキ在庫量、基本顔料インキ在庫量等のインキ在庫情報とを記録、登録する管理データベースと、印刷に使用すべき調肉インキ色を測定する調肉インキ色測定手段と、該測定手段にて測定された調肉インキ色測定データに基づいて、その調肉インキ色の識別名とその調肉インキ色を構成している顔料比率に相当する各基本顔料インキ配合比率を算出する基本顔料インキ配合比率算出手段と、調肉インキ予定使用量を算出するインキ使用量算出手段と、発注指示出力手段を備え、前記管理手段にて前記管理データベースから、印刷仕様情報、印刷仕様別調肉インキ情報、印刷機情報、インキ在庫情報を読み出し、読み出した該情報に基づいて、前記インキ使用量算出手段により印刷に必要な調肉インキ予定使用量を算出し、算出した該調肉インキ予定使用量に基づいて、発注指示出力手段により印刷インキの発注指示量を算出して、該発注指示量に基づく発注指示情報を出力するようにしたことを特徴とする印刷インキ在庫・発注管理システム。
【請求項２】
インキ在庫・発注管理手段と、該管理手段にデータを入力するデータ入力手段と、前記管理手段に基づいて動作し、且つ各種調肉インキの顔料比率に相当する基本顔料インキ配合比率情報と、印刷仕様、印刷スケジュール等の印刷仕様情報と、印刷仕様毎の調肉インキ色の識別名とその調肉インキ色の顔料比率に相当する基本顔料インキ配合比率等の印刷仕様別調肉インキ情報と、印刷機種、アイドリング循環インキ量、版面インキ付け量等の印刷機情報と、調肉インキ在庫量、基本顔料インキ在庫量等のインキ在庫情報とを記録、登録する管理データベースと、印刷物に使用されている調肉インキ色を測定する調肉インキ色測定手段と、該測定手段にて測定された調肉インキ色測定データに基づいて、その調肉インキ色の識別名とその調肉インキ色を構成している顔料比率に相当する各基本顔料インキ配合比率を算出する基本顔料インキ配合比率算出手段と、調肉インキ予定使用量を算出するインキ使用量算出手段と、発注指示出力手段を備え、前記管理手段にて前記管理データベースから、印刷仕様情報、印刷仕様別調肉インキ情報、印刷機情報、インキ在庫情報を読み出し、読み出した該情報に基づいて、前記インキ使用量算出手段により、前記印刷物の印刷に必要な調肉インキ予定使用量を算出し、算出した該調肉インキ予定使用量に基づいて、発注指示出力手段により印刷インキの発注指示量を算出して、該発注指示量に基づく発注指示情報を出力するようにしたことを特徴とする印刷インキ在庫・発注管理システム。
【請求項３】
請求項１又は請求項２記載の印刷インキ在庫・発注管理システムにおいて、前記管理データベースには、基本顔料インキ色コード番号及び基本顔料インキ配合比率等のインキ配合比率情報データベースと、印刷仕様コード番号、版式、ウエブ用紙、枚葉用紙等の用紙形態、印刷版周長、印刷版絵柄長さ、印刷版絵柄幅、ウエブ用紙長さ、枚葉印刷枚数、印刷単位絵柄面積、使用調肉インキ色識別名（コード番号）、調肉インキ予定使用量等の印刷仕様情報データベースと、印刷仕様毎の基本顔料インキ色コード番号及び基本顔料インキ配合比率等の印刷仕様別調肉インキ情報データベースと、機種、アイドリング循環インキ量、版面インキ付け量等の印刷機情報データベースと、調肉インキ在庫量、基本顔料インキ在庫量、基本顔料インキ常備在庫量等のインキ在庫情報データベースが記憶、登録されていることを特徴とする印刷インキ在庫・発注管理システム。
【発明の詳細な説明】
【０００１】
【発明の属する技術分野】
本発明は、ウエブ印刷や枚葉印刷において使用する印刷インキの使用状況に基づいて、印刷インキの在庫・発注の管理を行うための印刷インキ在庫・発注管理システムに関する。
【０００２】
【従来の技術】
印刷工程において印刷機により消費されるインキの従来の在庫管理は、印刷オペレータをはじめとして印刷作業管理者により、印刷前準備作業の都度、必要なインキの在庫量を目視にてマニュアルチェックして確認し、インキの発注を行うようにしていた。
【０００３】
また、印刷に使用される印刷インキの色調は多岐に亘っており、黄（イエロー）、赤（マゼンタ）、藍（シアン）の印刷三原色のインキと、墨（ブラック）インキの他に、各色における淡色インキや、各色を適宜な配合比（又は配合比率）で混合調肉して得られる特色インキや混色インキなども多量に使用される。
【０００４】
印刷で実際に使用される上記インキの中で、例えば特色インキの混合調肉は、インキ製造業者が行う場合と、印刷オペレーター等印刷業者が行う場合があり、また、その特色の色バラツキや色品質を確保するために、特色（混色）インキを混合調肉する場合の各色の配合比に正確性と安定性が要求されている。
【０００５】
【発明が解決しようとする課題】
本発明の課題は、印刷工程において使用される特色インキの混合調肉における各色配合比（又は配合比率）の正確性と安定性を確保できるようにするとともに、その特色インキに使用する各色インキの在庫量を正確に把握して、遅滞のない適正なインキ量の発注を行うことができるようにするための印刷インキ在庫・発注管理システムを提供することにある。
【０００６】
【課題を解決するための手段】
本発明の請求項１に係る発明は、インキ在庫・発注管理手段２と、該管理手段２にデータを入力するデータ入力手段２ａと、前記管理手段２に基づいて動作し、且つ各種調肉インキの基本顔料インキ配合比率情報と、印刷仕様、印刷スケジュール、調肉インキ色識別名、その調肉インキ色の各基本顔料インキ配合比率等の印刷仕様情報と、印刷機種、循環インキアイドリング量、版面インキ付け量等の印刷機情報と、調肉インキ在庫量、基本顔料インキ在庫量等のインキ在庫情報とを記録、登録する管理データベース３と、印刷に使用すべき調肉インキ色を測定する調肉インキ色測定手段４と、該測定手段４にて測定された調肉インキ色測定データに基づいて、その調肉インキ色の識別名とその調肉インキ色を構成している顔料比率に相当する各基本顔料インキ配合比率を算出する基本顔料インキ配合比率算出手段６と、調肉インキ予定使用量を算出するインキ使用量算出手段７と、発注指示出力手段８を備え、前記管理手段２にて前記管理データベース３から、印刷仕様情報、印刷機情報、インキ在庫情報を読み出し、読み出した該情報に基づいて、前記インキ使用量算出手段７により印刷に必要な調肉インキ予定使用量を算出し、算出した該調肉インキ予定使用量に基づいて、発注指示出力手段８により印刷インキの発注指示量を算出して、該発注指示量に基づく発注指示情報を出力するようにしたことを特徴とする印刷インキ在庫・発注管理システムである。
【０００７】
本発明の請求項２に係る発明は、インキ在庫・発注管理手段２と、該管理手段２にデータを入力するデータ入力手段２ａと、前記管理手段２に基づいて動作し、且つ各種調肉インキの基本顔料インキ配合比率情報と、印刷仕様、印刷スケジュール、調肉インキ色識別名、その調肉インキ色の各基本顔料インキ配合比率等の印刷仕様情報と、印刷機種、アイドリング循環インキ量、版面インキ付け量等の印刷機情報と、調肉インキ在庫量、基本顔料インキ在庫量等のインキ在庫情報とを記録、登録する管理データベース３と、印刷物に使用されている調肉インキ色を測定する調肉インキ色測定手段４と、該測定手段４にて測定された調肉インキ色測定データに基づいて、その調肉インキ色の識別名とその調肉インキ色を構成している顔料比率に相当する各基本顔料インキ配合比率を算出する基本顔料インキ配合比率算出手段６と、調肉インキ予定使用量を算出するインキ使用量算出手段７と、発注指示出力手段８を備え、前記管理手段２にて前記管理データベース３から、印刷仕様情報、印刷機情報、インキ在庫情報を読み出し、読み出した該情報に基づいて、前記インキ使用量算出手段７により、前記印刷物の印刷に必要な調肉インキ予定使用量を算出し、算出した該調肉インキ予定使用量に基づいて、発注指示出力手段８により印刷インキの発注指示量を算出して、該発注指示量に基づく発注指示情報を出力するようにしたことを特徴とする印刷インキ在庫・発注管理システムである。
【０００８】
本発明の請求項３に係る発明は、上記請求項１又は請求項２に係る印刷インキ在庫・発注管理システムにおいて、前記管理データベース３には、基本顔料インキ色コード番号及びインキ配合比率等のインキ配合比率情報データベース３ａと、印刷仕様コード番号、版式、ウエブ用紙、枚葉用紙等の用紙形態、印刷版周長、印刷版絵柄長さ、印刷版絵柄幅、ウエブ用紙長さ、枚葉印刷枚数、印刷単位絵柄面積、使用調肉インキ色識別名（コード番号）、調肉インキ予定使用量等の印刷仕様情報データベース３ｂと、印刷仕様毎の基本顔料インキ色コード番号及びインキ配合比率等の印刷仕様別調肉インキ情報データベース３ｃと、機種、アイドリング循環インキ量、版面インキ付け量等の印刷機情報データベース３ｄと、調肉インキ在庫量、基本顔料インキ在庫量、基本顔料インキ常備在庫量等のインキ在庫情報データベース３ｅが記憶、登録されていることを特徴とする印刷インキ在庫・発注管理システムである。
【０００９】
【発明の実施の形態】
本発明の印刷インキ在庫・発注管理システムの一実施の形態を、図１に示すシステムブロック図と、図２に示すシステムフローチャートに基づいて以下に詳細に説明する。
【００１０】
本発明システムは、図１に示すようなハード資源により実施され、パソコンなどコンピュータにて処理制御されるインキの在庫管理と発注管理用のインキ在庫・発注管理部１と、インキの在庫管理と発注管理用データの入出力とデータの記録と登録を行うデータベース部３とから構成される。
【００１１】
インキ在庫・発注管理部１は、インキ在庫・発注管理手段２と、該管理手段２にコマンドデータや管理用データを入力するキーボード（マウス）などデータ入力手段２ａと、該管理手段２に接続するインキ使用量算出手段７（必要に応じてメモリ７ａを搭載）と発注指示出力手段８とにより構成される。
【００１２】
データベース部３は、インキ在庫・発注管理手段２に接続されていて、基本顔料インキ配合比率情報データベース３ａと、印刷仕様情報データベース３ｂと、印刷仕様別調肉インキ情報データベース３ｃと、印刷機情報データベース３ｄと、インキ在庫情報データベース３ｅとから構成され、前記管理手段２により、管理用の情報データを記録したり登録したり、読み出したりすることができるようになっている。
【００１３】
データベース部３の基本顔料インキ配合比率情報データベース３ａには、過去から現在までに印刷実稼動にて使用された各調肉インキ（実際に印刷に使用したインキ）の調肉インキ色コード番号と、その各調肉インキの調肉（インキ調合）に用いられた各種基本顔料インキ色（各種基本顔料色）のコード番号と、その基本顔料インキ配合比率ｋ（基本顔料色配合比率）が、印刷仕様番号とは無関係なデータとして記録、登録され、また必要に応じてインキ製造銘柄等もデータとして記録、登録されている。
【００１４】
データベース部３の印刷仕様情報データベース３ｂには、印刷仕様コード番号、版式、ウエブ用紙、枚葉用紙等の用紙形態、印刷版周長、印刷版絵柄長さ、印刷版絵柄幅、ウエブ用紙長さ、枚葉印刷枚数、印刷単位絵柄面積、使用調肉インキ色識別名（コード番号）、調肉インキ予定使用量等の印刷仕様情報がデータとして記録、登録されている。
【００１５】
データベース部３の印刷仕様別調肉インキ情報データベース３ｃには、所定の印刷仕様番号毎に、その印刷に使用する調肉インキ色の識別名と、その調肉インキ色の調肉（調合）に使用する基本顔料インキ色のコード番号及びその各インキ配合比率ｋ等の印刷仕様別の調肉インキ情報がデータとして記録、登録されている。
【００１６】
データベース部３の印刷機情報データベース３ｄには、印刷機種、アイドリング循環インキ量、版面インキ付け量等の印刷機情報が、データとして記録、登録されている。
【００１７】
データベース部３のインキ在庫情報データベース３ｅには、調肉インキ在庫量、基本顔料インキ在庫量、基本顔料インキ常備在庫量等のインキ在庫情報が、データとして記録、登録されている。
【００１８】
図１に示す管理データベース３の基本顔料インキ配合比率情報データベース３ａに記録、登録される基本顔料インキ配合比率情報としては、例えば、過去から現在までに印刷実稼動にて使用された各調肉インキ（実際に印刷に使用したインキ）の調肉インキ色コード番号と、その各調肉インキの調肉（インキ調合）に用いられた各種基本顔料インキ色（各種基本顔料色）のコード番号と、その各調肉インキの基本顔料インキ配合比率ｋ（基本顔料色配合比率）があり、また必要に応じて、基本顔料インキ及び調肉インキのインキ製造社名やインキ銘柄等もデータとして記録、登録される。
【００１９】
図１に示す管理データベース３の印刷仕様情報データベース３ｂに記録、登録される印刷仕様情報としては、例えば、、版式（グラビア印刷、平版印刷（オフセット平版印刷）、活版印刷、スクリーン印刷等）、用紙形態（ウエブ用紙、枚葉用紙）、印刷版周長ｏ、印刷版絵柄長さａ、印刷版絵柄幅ｂ、ウエブ用紙印刷長さｍ、枚葉用紙印刷枚数ｎ、印刷単位絵柄面積ｓ、使用調肉インキ色コード番号、調肉インキ予定使用量ｘがある。
【００２０】
図１に示す管理データベース３の印刷仕様別調肉インキ情報データベース３ｃに記録、登録される印刷仕様毎の調肉インキ情報としては、例えば、その印刷に使用する調肉インキ色コード番号、基本顔料インキ色コード番号、基本顔料インキ配合比率ｋ（又は配合比）がある。
【００２１】
また図１に示す管理データベース３の印刷機情報データベース３ｄに記録、登録される印刷機情報としては、印刷機種Ｔ、アイドリング循環インキ量ｒ（印刷中に常に印刷機のインキ供給手段の印刷インキタンク（インキツボ）内及びインキ循環系統内を循環供給されるインキ量）、版面インキ付け量ｗ（単位面積当たりの版面インキ付け量＝版全面インキ付け量Ｗ／版全面積Ｓ）がある。
【００２２】
また図１に示す管理データベース３のインキ在庫情報データベース３ｅに記録、登録されるインキ在庫情報としては、調肉インキ在庫量Ｘ、基本顔料インキ在庫量Ｙ、基本顔料インキ常備在庫量Ｚ（常に在庫としてストックすべき基本顔料インキ量）がある。
【００２３】
上記本発明システムは、図１に示すように、印刷用紙ＰＯ　を用いて印刷画像Ｇの印刷が施された校了となった校正刷り又は本機刷りの印刷シートＰの印刷に使用した調肉インキをサンプリングして、その調肉インキのインキ色を測定するインキ色測定センサー５ａを備えた色測定手段４と、該色測定手段４にて測定された調肉インキのインキ色測定データに基づいて、その調肉インキの調肉（調合）に用いられた基本顔料インキ色（基本顔料色）の各基本顔料インキ配合比率（又は配合比）を算出する基本顔料インキ配合比率算出手段６（基本顔料色配合比率算出手段）を備え、該基本顔料インキ配合比率算出手段６は、前記インキ在庫・発注管理手段２に接続されて指示制御され、該算出手段６にて算出した調肉インキの基本顔料インキ配合比率（又は配合比）は、その調肉インキ色コード番号とともに、管理手段２を介して管理データベース３の基本顔料インキ配合比率データベース３ａに記録、登録される。
【００２４】
なお、上記インキ色測定手段４のインキ色測定センサー５ａ（光学センサー）は、図１に示すように、サンプリング測定する調肉インキ（測定試料）を貯留するタ貯留槽５ｂ内に設置され、該センサー５ａの上方には、間隔ｄを空けて配置した筒状の測定用投光部５ｃと、光源部５ｄが設けられ、センサー５ａと投光部５ｃとの間にある調肉インキ試料を投光部５ｃによて照明し、調肉インキ試料を透過する色光を光センサー５ａにより計測するものであり、例えば、特開平８−３１３３５２号に記載する液体測色方法及び装置により測定可能である。
【００２５】
また本発明システムは、他の実施の形態として、図１に示すように、印刷用紙ＰＯ　に印刷を施した印刷シートＰ（本稼動印刷工程により印刷された本刷り印刷物又は校正刷り印刷工程にて印刷された校正刷り印刷物）の印刷画像Ｇの印刷色を測定する印刷色測定センサー５ｅを備えた色測定手段４（本刷り印刷シートＰの測定においては、例えば印刷シートＰが送行する印刷機本体の適宜個所に設置）と、該色測定手段４にて測定された印刷色測定データから印刷に使用されている調肉インキのインキ色測定データを求め、その調肉インキの調肉（調合）に用いられている基本顔料インキ色（基本顔料色）の各基本顔料インキ配合比率（又は配合比）を算出する基本顔料インキ配合比率算出手段６（基本顔料色配合比率算出手段）を備え、該基本顔料インキ配合比率算出手段６は、前記インキ在庫・発注管理手段２に接続されて指示制御され、該算出手段６にて算出した調肉インキの基本顔料インキ配合比率（又は基本顔料インキ配合比）は、その調肉インキ色コード番号とともに、該管理手段２を介して、管理データベース３の基本顔料インキ配合比率データベース３ａに記録、登録される。
【００２６】
印刷シートＰＯ　の印刷色を測定する色測定手段４の上記印刷色測定センサー５ｂは、印刷用紙ＰＯ　（ウエブ用紙又は枚葉用紙）に印刷される印刷シートＰの印刷画像Ｇの印刷色をリアルタイムで測定し、該測定手段４にて測定された印刷色測定データは、基本顔料インキ配合比率算出手段６に入力され、その印刷色に必要な調肉インキと、その調肉インキの調肉（色調合）に必要な基本顔料インキ配合比率（又は配合比）を算出できるようになっている。
【００２７】
上記印刷シートＰＯ　の印刷色を測定する色測定手段４の上記印刷色測定センサー５ｂとしては、印刷用紙ＰＯ　の送行方向と直交する印刷幅方向に測定センサー５の測定ヘッドを走査させる走査センサー型又は印刷幅方向に細長いスリット内に、その長手方向に沿って多数個の測定センサー５を密に配列したリニアスリットセンサー型などが採用でき、例えば、プロセスインキ（印刷三原色の黄（イエロー）インキ、赤（マゼンタ）インキ、藍（シアン）インキの各印刷色インキの印刷色濃度を測定するための光透過性の各色フィルターを備えたもので、青紫（ブルー）フィルター（黄インキ色濃度測定用フィルター）と、緑（グリーン）フィルター（赤（マゼンタ）インキ色濃度測定用フィルター）と、赤（レッド）フィルター（藍インキ色濃度測定用フィルター）とが取り付けられ、印刷物Ｐの分光反射率を印刷色濃度データ値として検出し出力する光学式印刷色濃度計（マクベス社製、ＧＡＴＦ社製）に相当するものが使用でき、その分光反射率による印刷色濃度データ値に基づいて、インキ配合比率算出手段６から色インキ配合比率ｋ又は色インキ配合比が出力される。
【００２８】
また、上記プロセスカラーの測定以外に、光の三原色に相当する青紫（ブルー）インキ、緑（グリーン）インキ、赤（レッド）インキの各印刷色インキの印刷色濃度を測定するための光透過性の各色フィルターを備えたもので、黄（イエロー）フィルター（青紫インキ色濃度測定用フィルター）と、赤（マゼンタ）フィルター（緑インキ色濃度測定用フィルター）と、藍（シアン）フィルター（赤（レッド）インキ色濃度測定用フィルター）とが取り付けられ、印刷物Ｐの分光反射率を印刷色濃度データ値として検出し出力する光学式印刷色濃度計（マクベス社製、ＧＡＴＦ社製）に相当するものも使用できる。
【００２９】
前記インキ在庫・発注管理部１のインキ在庫・発注管理手段２は、データ入力手段２ａにより入力される各種インキ在庫・発注管理用の各種情報や、それら情報をデータ処理制御するためのコマンドに基づいてデータ処理制御を行い、管理データベース３に対するデータの記録、登録と読み出し動作の指示、基本顔料インキ配合比率算出手段６に対する動作指示と、インキ使用量算出手段７、発注指示出力手段８に対する動作指示を発信する。
【００３０】
上記本発明システムは、図１に示すように、前記管理手段２に接続するインキ使用量算出手段７を備え、該算出手段７は、管理手段２の指令（所定印刷仕様コード番号の入力）により管理データベース３の基本顔料インキ配合比率データベース３ａから印刷仕様コード番号に対応する調肉インキ色コード番号と、色測定手段４にて得られた前記調肉インキの基本顔料インキ配合比率（又は配合比）とを読み出し、また印刷仕様情報データベース３ｂからは印刷仕様情報を、印刷機情報データベース３ｄからは印刷機情報を読み出して、読み出された各々データに基づいて、その印刷仕様コード番号の印刷に必要とする調肉インキ予定使用量と、その調肉インキの調肉に必要な基本顔料インキ予定使用量（基本顔料色の予定使用量）とを算出して、管理データベース３に一旦記録、登録する。
【００３１】
また、上記本発明システムは、図１に示すように、前記管理手段２に接続する発注指示出力手段８を備え、該発注指示出力手段８は、管理手段２の指令（所定印刷仕様コード番号の入力）により、その印刷仕様コード番号にて使用する調肉インキ色コード番号と、前記インキ使用量算出手段７にて算出した調肉インキ予定使用量及び基本顔料インキ予定使用量と、管理データベース３のインキ在庫情報データベース３ｅからインキ在庫情報として、調肉インキ在庫量、基本顔料インキ在庫量、また必要に応じて基本顔料インキ常備在庫量を読み出し、調肉インキの調肉に必要な基本顔料インキの不足量を算出する。
【００３２】
そして、上記発注指示出力手段８は、算出した基本顔料インキ不足量（又は基本顔料インキ不足量＋基本顔料インキ常備在庫量又は基本顔料インキ不足量＋予備基本顔料インキ量又は基本顔料インキ不足量＋基本顔料インキ常備在庫量＋予備基本顔料インキ量）を発注指示量として、発注指示情報をディスプレイ出力表示（画面出力表示）あるいはシート出力表示（プリント出力表示）する。
【００３３】
一般に印刷に使用する調肉インキは、色調の異なる複数色の基本顔料インキ（基本顔料色インキ）を調肉（色調合、色混合）して得られるものであるが、調肉して得られる調肉インキ（例えば特色インキ）は、例えば印刷三原色である黄色（イエロー：ｙ　）、赤色（マゼンタ：ｍ　）、藍色（シアン：ｃ　）、あるいは墨色（ブラック：ｋ　）、白色（ホワイト：ｗ　））等の色調の基本顔料色インキを、適宜な配合比率（又は配合比）に基づいて混合調肉して得られるものである。なお調肉インキに混合して使用される基本顔料色インキの色調及び色数としては、上記色調のインキや色数（５色）に限定されるものではなく、適宜に設定することは可能である。
【００３４】
前記基本顔料インキ配合比率算出手段６にて算出される各基本顔料インキの配合比率ｋは、調肉インキに配合される複数色の基本顔料インキとして、例えば、印刷三原色である黄色インキ（イエロー：ｙ　）、赤色インキ（マゼンタ：ｍ　）、藍色インキ（シアン：ｃ　）を使用し、その各基本顔料インキの配合比を、ｋｙ１：ｋｍ１：ｋｃ１として混合調肉される調肉インキを構成する各基本顔料インキ（ｙ　、ｍ　、ｃ　）の配合比率は、それぞれ次のようになる。
【００３５】
黄色インキ（ｙ　）の基本顔料インキ配合比率ｋｙ　＝ｋｙ１／ｋｙ１＋ｋｍ１＋ｋｃ１
赤色インキ（ｍ　）の基本顔料インキ配合比率ｋｍ　＝ｋｍ１／ｋｙ１＋ｋｍ１＋ｋｃ１
藍色インキ（ｃ　）の基本顔料インキ配合比率ｋｃ　＝ｋｃ１／ｋｙ１＋ｋｍ１＋ｋｃ１
【００３６】
本発明システムを、図１に示すシステムブロック図、及び図２、図３に示すシステムフローチャート図に基づいて以下に詳細に説明する。
【００３７】
ＳＴＥＰ１：
まず、色測定手段４にて、所定の印刷仕様番号（例えばコード番号Ａ）の印刷製版工程において校了となった印刷シートＰの校正刷りに使用した調肉インキＩ（数種類の色調の基本顔料インキを混合（調肉、調合）して得られる調肉インキ）、又は既に先の本機刷り印刷にて使用済みの調肉インキＩを、そのインキをサンプリング測定する方式にて測定し、又はそのインキを用いて印刷された印刷シートＰの印刷画像Ｇを測定する方式にて測定して、調肉インキＩの色測定データ（分光反射率曲線データ）を取得する。
【００３８】
ＳＴＥＰ２：
次に、予め設定されている複数の各基本顔料インキ番号（コード番号）毎の基準分光反射率曲線データ（照合検索用の基準データ）を格納したメモリを搭載するインキ配合比率算出手段６にて、前記取得した調肉インキＩの色測定データ（分光反射率曲線データ）を基準分光反射率曲線データと比較照合して、前記印刷仕様番号Ａの印刷に使用される調肉インキＩを構成する各基本顔料インキ番号を照合検索し、また測定した上記色測定データに基づき、印刷インキ配合比率算出手段６にて、印刷に使用されている印刷インキ（特色インキ）に配合されている複数の各色インキの色インキ名（例えば、印刷三原色である黄色（イエロー：ｙ　）、赤色（マゼンタ：ｍ　）、藍色（シアン：ｃ　））と、その各基本顔料インキの基本顔料インキ配合比率ｋ（ｋｙ　、ｋｍ　、ｋｃ　）又はその各基本顔料インキの基本顔料インキ配合比（ｋｙ１：ｋｍ１：ｋｃ１）を算出する。
【００３９】
ＳＴＥＰ３：
次に、照合検索した前記基本顔料インキ番号と、算出した各基本顔料インキ配合比率ｋ（各基本顔料インキ配合比率ｋ（例えば黄色インキの配合比率ｋｙ　、赤色インキの配合比率ｋｍ　、藍インキの配合比率ｋｃ　、又は各基本顔料インキ配合比ｋｙ１：ｋｍ　１　：ｋｃ１）を、インキ製造社名、インキ銘柄等と共に、インキ在庫・発注管理手段２を介して、基本顔料インキ配合比率データベース３ａに記録、登録する。他方、算出した上記各基本顔料インキ配合比率ｋを、印刷仕様番号Ａと共に、インキ在庫・発注管理手段２を介して、印刷仕様別調肉インキ情報データベース３ｃに記録、登録する。
【００４０】
ＳＴＥＰ４：
次に、インキ在庫・発注管理手段２を介して、印刷仕様情報データベース３ｂから、インキ使用量算出用データとして、その印刷仕様番号Ａの印刷仕様情報（ウエブ用紙印刷長さｍ、印刷版周長ｏ、印刷ウエブ単位数ｎ（ｎ＝ｍ／ｏ）、又は枚葉印刷枚数ｎ、印刷単位絵柄面積ｓ（長さ単位：ｃｍ、面積単位：ｃｍ２　）の各データを読み出し、印刷機情報データベース３ｄからは、印刷仕様番号Ａの印刷に使用する所定機種Ｔの印刷版単位面積当たりのインキ付け量ｗ（単位：ｇ／ｃｍ２　、又はｃｍ３　／ｃｍ２　）と、印刷機アイドリング循環インキ量ｒ（（単位：ｇ又はｃｍ３　）グラビアインキなど液状インキの場合はｒ＞０、オフセット平版インキなど粘稠状インキの場合はｒ＝０）の各データを読み出してインキ使用量算出手段７に入力する。
【００４１】
ＳＴＥＰ５：
次に、インキ使用量算出手段７は、上記インキ使用量算出用データに基づいて上記印刷仕様番号Ａの印刷に仕様する調肉インキＩの予定使用量ｘ（単位：ｇ又はｃｍ３　）を、下記式に基づいて演算して、印刷使用番号Ａと調肉インキ番号と共に印刷仕様情報データベース３ｂに記録、登録する。
ｘ＝ｗ×ｓ×ｎ＋ｒ
【００４２】
ＳＴＥＰ６：
次に、インキ在庫・発注管理手段２を介して、インキ在庫情報データベース３ｅから、上記印刷仕様番号Ａの印刷に使用する調肉インキＩと同一調肉インキ番号（同一調肉インキ色）の調肉インキ在庫量Ｘ（残肉量、単位：ｇ又はｃｍ３　）を読み出し、発注指示出力手段８にて、下記式に基づいて演算して、調肉インキＩの不足量Ｎ（単位：ｇ又はｃｍ３　）を算出する。
Ｎ＝ｘ−Ｘ
【００４３】
ＳＴＥＰ７：
次に、インキ在庫・発注管理手段２を介して、印刷仕様別調肉インキ情報データベース３ｃから、色測定と演算にて求めた上記印刷仕様番号Ａの印刷に使用する調肉インキＩの基本顔料インキ番号と基本顔料インキ配合比率ｋ（ｋｙ　、ｋｍ　、ｋｃ　）を読み出し、発注指示出力手段８にて、下記式に基づいて、不足量Ｎだけ不足している調肉インキＩを調合するために必要な各基本顔料インキ番号に相当する各基本顔料インキのインキ不足量ｙ（ｙｙ　、ｙｍ　、ｙｃ　）（単位：ｇ又はｃｍ３　）を算出する。
ｙ＝Ｎ×ｋ
ｙｙ　＝Ｎ×ｋｙ
ｙｍ　＝Ｎ×ｋｍ
ｙｃ　＝Ｎ×ｋｃ
【００４４】
ＳＴＥＰ８：
次に、インキ在庫・発注管理手段２を介して、インキ在庫情報データベース３ｅから、不足している調肉インキＩを調合するために必要な上記基本顔料インキ番号の各基本顔料インキ在庫量Ｙ（Ｙｙ　、Ｙｍ　、Ｙｃ　）（単位：ｇ又はｃｍ３　）を読み出し、発注指示出力手段８にて、下記式に基づいて、不足している調肉インキＩを調合するために必要な各基本顔料インキ不足量Ｕ（Ｕｙ　、Ｕｍ　、Ｕｃ　）（単位：ｇ又はｃｍ３　）を算出する。
Ｕ＝Ｙ−ｙ
Ｕｙ　＝Ｙｙ　−ｙｙ
Ｕｍ　＝Ｙｍ　−ｙｍ
Ｕｃ　＝Ｙｃ　−ｙｃ
【００４５】
ＳＴＥＰ９：
続いて、算出した各基本顔料インキ不足量Ｕ（Ｕｙ　、Ｕｍ　、Ｕｃ　）を基本顔料インキ発注量として、又はインキ不足量Ｕ（Ｕｙ　、Ｕｍ　、Ｕｃ　）＋予備量α、又はインキ不足量Ｕ（Ｕｙ　、Ｕｍ　、Ｕｃ　）＋常備在庫量Ｚ、又はインキ不足量Ｕ（Ｕｙ　、Ｕｍ　、Ｕｃ　）＋予備量α＋常備在庫量Ｚを基本顔料インキ発注量として、発注指示出力手段８にてインキ追加発注指示を画面出力表示又はシートにプリント出力表示する。
【００４６】
【発明の効果】
本発明の印刷インキ在庫・発注管理システムは、印刷機にて印刷される印刷物の印刷インキ色濃度を印刷稼動中のリアルタイムで測定することにより、印刷終了までに印刷機により消費されるであろうインキ量を算出し、推定し予測することができ、また、印刷物の印刷インキ色濃度を印刷終了時点で測定することにより、印刷終了までに印刷機により消費されたインキ量を算出することができる。
【００４７】
また、印刷インキの在庫状況を、印刷スケジュール管理手段と、消費されたインキ量を記録、登録した在庫・発注管理データベースとを用いて管理することができ、印刷前準備作業の都度、必要なインキの在庫量を目視にてマニュアルチェックして確認し、インキの発注量を決めていた従来のマニュアルによる多岐に亘る種類と色調の印刷インキの在庫、発注管理をコンピュータシステムにより実施できる効果がある。
【００４８】
また、混合調肉して得られる特色インキに使用される異なる色調の多岐に亘る１インキのインキ配合比を即座に算出して、そのインキ配合比に基づく印刷インキの在庫管理と発注管理ができ、特色インキの色バラツキや色品質を確保するための特色（混色）インキの混合調肉における各色インキの配合比の正確性と安定性が得られる効果がある。
【００４９】
このように本発明システムは、印刷工程において使用される特色インキの混合調肉における各色配合比の正確性と安定性を確保でき、特色インキに使用するための混合調肉用の各色インキの在庫量を正確に把握して、遅滞のない適正なインキ量の発注を行うことができる印刷インキ在庫・発注管理システムを提供することができる。
【図面の簡単な説明】
【図１】本発明の印刷インキ在庫・発注管理システムを説明するシステムブロック図。
【図２】本発明の印刷インキ在庫・発注管理システムを説明するシステムフローチャート図。
【図３】本発明の印刷インキ在庫・発注管理システムを説明するシステムフローチャート図。
【符号の説明】
１…インキ在庫・発注管理制御部　２…インキ在庫・発注管理手段
２ａ…データ入力手段　３…管理データベース４…色測定手段
３ａ…基本顔料インキ配合比率ＤＢ　３ｂ…印刷仕様情報ＤＢ
３ｃ…印刷仕様別調肉インキ情報ＤＢ　３ｄ…印刷機情報ＤＢ
３ｅ…インキ在庫情報ＤＢ　５ａ，５ｂ…測定センサー
６…基本顔料インキ配合比率算出手段　７…インキ使用量算出手段
８…発注指示出力手段
Ｐ…印刷シート　Ｇ…印刷画像　Ｉ…調肉インキ
【図１】
2004066454.tif 000003
【図２】
2004066454.tif 000004
【図３】
2004066454.tif 000005